(57)【要約】  チャンバ（１２）と、チャンバ（１２）内に配置された回転式キャビテーション要素（１８）を有する液体を処理する装置が提供される。第１の態様によれば、チャンバ（１２）は、キャビテーション要素（１８）の領域に、異なる丸み（３４、３６）をもつ断面を有する。第２の態様によれば、実質的に円板形のキャビテーション要素（１８）が、丸みを帯びた内壁をもつ（好ましくは長円形の）通路開口（４４）を有する。
2013545594.tif 000002
【特許請求の範囲】
【請求項１】
液体を処理する装置であって、
チャンバ（１２）と、
前記チャンバ（１２）内に配置された回転式キャビテーション要素（１８）と、を備える装置において、
前記チャンバ（１２）が、前記キャビテーション要素（１８）の領域内に、異なる丸み（３４、３６）をもつ断面を有することを特徴とする、装置。
【請求項２】
前記チャンバ（１２）の前記断面が、丸みを帯びた角部をもつ多角形の基本形状を有することを特徴とする、請求項１に記載の装置。
【請求項３】
前記多角形の基本形状の複数の辺が凸状であることを特徴とする、請求項２に記載の装置。
【請求項４】
前記断面の前記基本形状が、正多角形からなる基本形状であることを特徴とする、請求項２または３に記載の装置。
【請求項５】
前記チャンバ（１２）の前記断面が、３葉形を有することを特徴とする、請求項４に記載の装置。
【請求項６】
前記断面の前記基本形状が、不等辺多角形からなる基本形状であることを特徴とする、請求項１〜３のいずれか一項に記載の装置。
【請求項７】
液体を処理する装置であって、
チャンバ（１２）と、
前記チャンバ（１２）内に配置された実質的に円板形状のキャビテーション要素（１８）と、を備える装置において、
前記キャビテーション要素（１８）が、好ましくは長円形である、丸みを帯びた内壁をもつ通路開口（４４）を有することを特徴とする、装置。
【請求項８】
前記通路開口（４４）がそれぞれ、上面（３８）から前記キャビテーション要素（１８）を完全に貫通して下面（４０）まで延在することを特徴とする、請求項７に記載の装置。
【請求項９】
前記通路開口（４４）の直径が、その軸線方向高さを通して、５０％未満、好ましくは３０％未満、さらに好ましくは２０％未満、変化することを特徴とする、請求項８に記載の装置。
【請求項１０】
前記内壁が、前記上面（３８）近くの領域および前記下面（４０）近くの領域において異なる度合いに丸められていることを特徴とする、請求項８または９に記載の装置。
【請求項１１】
前記通路開口（４４）が、前記上面（３８）および前記下面（４０）のそれぞれに細長い孔のような長円形の縁部（４６、４８）を有することを特徴とする、請求項８〜１０のいずれか一項に記載の装置。
【請求項１２】
上から視て、前記上面（３８）上の前記通路開口（４４）の前記縁部（４６）が、前記下面（４０）上の前記通路開口（４４）の前記関連する縁部（４８）と一致していないことを特徴とする、請求項８〜１１のいずれか一項に記載の装置。
【請求項１３】
前記通路開口（４４）の長手方向において、前記上面（３８）での前記縁部（４６）の範囲が、前記下面（４０）での前記縁部（４８）とは寸法が異なり、かつ／または前記縁部（４８）に対して偏倚することを特徴とする、請求項１２に記載の装置。
【請求項１４】
前記通路開口の長手方向中心軸線が当該軸線に対して垂直な前記キャビテーション要素（１８）の半径線Ｒと交わる点に対して、前記通路開口の中心が前記長手方向中心軸線の方向に偏倚するように、それぞれの前記通路開口（４４）が配置されることを特徴とする、請求項７〜１３のいずれか一項に記載の装置。
【請求項１５】
前記チャンバ（１２）が、プラスチックから製作されたハウジング（１０）内に配置されることを特徴とする、前記請求項のいずれか一項に記載の装置。
【請求項１６】
入口（１４）および出口（１６）が、前記チャンバ（１２）内に開口し、前記入口および出口が、半径方向ｒにおいて互いに１８０度未満の角度、好ましくは約１２０度の角度で配置されることを特徴とする、前記請求項のいずれか一項に記載の装置。
【請求項１７】
好ましくは前記キャビテーション要素（１８）の回転軸線の近傍で、前記キャビテーション要素（１８）の上面に軸線方向に向けられた口を有するガス供給パイプ（２４）を特徴とする、前記請求項のいずれか一項に記載の装置。
【請求項１８】
前記ガス供給パイプ（２４）が、駆動シャフト（２０）に対して、平行な断面内で少なくとも延在し、前記駆動シャフト上に、前記キャビテーション要素（１８）が配置されることを特徴とする、請求項１７に記載の装置。
【請求項１９】
音波を直接前記チャンバ（１２）内に射出するように配置された少なくとも１つの音響パワートランスデューサ（３０、３２）を特徴とし、前記音波の周波数が超音波の周波数領域より低い、前記請求項のいずれか一項に記載の装置。
【請求項２０】
特に前記請求項のいずれか一項による装置を用いて、懸濁液を処理する方法であって、
ａ）回転するキャビテーション要素が受け入れられたチャンバ内に、処理すべき前記分散液を導入するステップと、
ｂ）前記液体を超音波によって処理することなく、キャビテーションが発生するまで前記キャビテーション要素を回転させるステップと、
ｃ）前記キャビテーションによって前記液体中の粒子の大きさを減らすステップと、を特徴とする方法。
【請求項２１】
ガスが、前記懸濁液に導入され、超音波なしの態様で、発生させたキャビテーションによって前記懸濁液中に溶解されることを特徴とする、請求項２０に記載の方法。
【請求項２２】
前記方法が、液体塗料、特にラッカを製造する方法、紙面コーティングのためのホワイティングを処理する方法、または廃水を処理する方法である、請求項２０または２１に記載の方法。
【発明の詳細な説明】
【技術分野】
【０００１】
本発明は液体を処理する装置に関する。より詳細には、本発明は、懸濁液を処理する装置および方法に関する。
【背景技術】
【０００２】
液体にガスを充填することは、多くの目的にとって有利である。たとえば、それにより、ガスと液体との間、またはガスと液体に含有された物質との間に化学反応を起こすことが可能になる。１つの潜在的使用目的は、適切な反応ガスを導入することによって細菌含有量を減らすことができる、飲料水および廃水両方の水の処理である。
【０００３】
国際公開第２００８／０８０６１８Ａ１号は、チャンバ内に配置された機械的キャビテーション要素と、キャビテーション要素を通って延在するガス供給手段とを備える液体処理用装置を開示する。装置は、直接チャンバ内に音波を発射する音響パワートランスデューサをさらに備える。キャビテーション要素の運動が、供給されたガスを処理すべき液体と確実に混合させるが、その場合、平均バブルサイズはまだ比較的大きい。第２の処置として、音波が、同時に、音響パワートランスデューサによって直接液体内に導入され、その結果、平均バブルサイズが、液体全体に亘ってさらに小さくなる。既知の装置および既知の方法が、ガスの液体内への音響化学的溶解を達成するために使用され、その場合、ガスの大部分が分子状態で分散された溶解状態で存在するとき、パワートランスデューサは、４００〜１５００ｋＨｚ、好ましくは６００〜１２００ｋＨｚの範囲の周波数を供給する超音波トランスデューサの形態である必要がある。
【発明の概要】
【発明が解決しようとする課題】
【０００４】
本発明の目的は、液体にガスを充填する効率をさらに一層向上させることにある。
【課題を解決するための手段】
【０００５】
この目的は、請求項１の特徴を有する装置、および請求項７の特徴を有する装置によって達成される。本発明による装置の有利かつ好都合なより以上の発展が従属請求項に示されている。
【０００６】
第１の態様によれば、液体を処理するための本発明による装置は、チャンバと、チャンバ内に配置された、特に流れ物体の形態の回転式キャビテーション要素（素子、エレメント）とを備える。チャンバは、キャビテーション要素の領域に、異なる丸みをもつ断面を有する。
【０００７】
本発明のこの態様は、異なる丸みを有する断面が、一方で、キャビテーション要素の回転軸線周りの望ましくない液体の回転流を阻止し、他方で、少量の液体交換しか行われない「死水」チャンバ角部を防止するという知見に基づく。むしろ、本発明によるチャンバの断面形状は、キャビテーション効果を著しく増加させる高流速の局所渦の形成を助長する。
【０００８】
好ましくは、チャンバの断面は、丸みを帯びた角部を有する多角形からなる基本形状を有する。丸みを帯びた角部は、液体が角部に滞留するのを効果的に防止する。
【０００９】
チャンバ内のいかなる「静水域」をも避けるために、多角形の基本形状の諸辺は、凸状であることが好ましい。
【００１０】
一般に、チャンバは、有利には、チャンバの断面の基本形状が正多角形の基本形状になるように設計される。
【００１１】
３葉形（trilobular shape）をもつ断面を有するチャンバは、特に有利であることが判明している。そのような形状は、望ましくない回転流を助長する円形からは明らかに変わっているが、それでも、全体的に円板形のキャビテーション要素に対してほぼ接線方向に延在する壁部分を備える。
【００１２】
ただし、基本的に、チャンバは、有利には、その基本形状が不等辺多角形からなる基本形状である断面を有してもよい。
【００１３】
第２の態様によれば、液体を処理するための本発明による装置は、チャンバと、チャンバ内に配置された実質的に円板形のキャビテーション要素とを備える。キャビテーション要素は、（好ましくは長円形の）丸みを帯びた内壁をもつ通路開口を有する。
【００１４】
本発明のこの態様は、キャビテーション要素が速く回転するとき、通路開口のそのような形状は、望ましくない液体の剥離を生じることなく液体を最適に加速することができるという知見に基づく。
【００１５】
本発明の好ましい実施形態では、通路開口はそれぞれ、上面からキャビテーション要素を完全に貫通して下面まで延在する。これは、基本的に、キャビテーション要素を貫通する液体の通過を限定することを可能にする。
【００１６】
通路開口の好ましい設計は、通路開口の直径が、その軸線方向高さを通して、５０％未満、好ましくは３０％未満、さらに好ましくは２０％未満しか変化しないように行われる。これにより、通路開口内に液体が確実に滞留しないようにする。
【００１７】
通路開口の特に好ましい設計によれば、内壁は、上面近くの領域および下面近くの領域において異なる度合いに丸められている。特に、丸められた部分は、意図する圧力変動に好都合な全体的流れ状態が得られるように、キャビテーション要素の形状に適合させることができる。
【００１８】
通路開口は、上面および下面のそれぞれに細長い孔のような長円形の縁部を有し得る。
【００１９】
別の好ましい実施形態では、上視図において、上面上の通路開口の縁部が、下面上の通路開口の関連する縁部と一致しないようになされる。
【００２０】
詳細には、通路開口の長手方向において、上面での縁部の範囲が、下面での縁部とは寸法が異なり、かつ／または下面での縁部に対して偏倚し得る。
【００２１】
丸みを帯びた部分と併せて、キャビテーション効果は、各通路開口の中心が、その長手方向中心軸線が該軸線に垂直なキャビテーション要素の半径線と交わる点に対して、長手方向中心軸線の方向に偏倚するような通路開口の配置によって、さらに最適化することができる。
【００２２】
水、特に飲料水の処理に関し、チャンバがプラスチックから製作されたハウジングの中に配置されている装置は、有利である。金属ハウジングに比較して、プラスチックのハウジングは、掃除に向いており、消毒剤によって侵されないという利点を示す。液体への電解質の添加も、なんら問題なく可能である。
【００２３】
特に、液体の入口および出口がその中に開口するチャンバの３葉形断面との組合せにおいて、入口と出口とが、半径方向で互いに１８０度未満の角度、好ましくは約１２０度の角度で配置されている構成が好都合である。
【００２４】
液体中へのガスの供給に関し、好ましくはキャビテーション要素の回転軸線の近傍で、キャビテーション要素の上面に軸線方向に向けられた口を有するガス供給パイプが好ましい。
【００２５】
詳細には、ガス供給パイプは、少なくとも断面図内で、キャビテーション要素が配置されている駆動シャフトに平行に延在することができる。
【００２６】
本発明による装置の実現におけるコスト削減が、音波を直接チャンバ内に射出するように配置された少なくとも１つの音響パワートランスデューサによって達成され、音波の周波数は超音波の周波数領域より低い。始めに述べた従来技術によって知られている装置と比較して、所望のバブルサイズを達成するのに、より低い音響パワートランスデューサのパワーで十分であることが判明している。
【００２７】
一般に、本発明による処置は、極めて高い割合のガスを液体に導入することができる。したがって、本発明による装置は、水、特に飲料水または廃水の浄化に高度に適している。特にオゾンが供給されるとき、そのオゾンは液体中に分子状に分散して溶解されるが、装置は、液体の殺菌消毒、または、一般に、バクテリア、ウイルス、真菌胞子、毒素もしくは内分泌撹乱物質の撲滅、あるいはタンパク質の変性のために使用することができる。さらに、装置は、水または廃水のみではなく、液体をあらゆる適切なガスによって充填するために一般に使用することができる。
【００２８】
本発明は、特に本発明による装置を用いて懸濁液を処理する方法にさらに関し、回転するキャビテーション要素が装入されているチャンバに、処理すべき分散液を導入するステップと、液体を超音波によって処理することなく、キャビテーションが発生するまでキャビテーション要素を回転させるステップと、キャビテーションによって前記液体中の粒子の大きさを減らすステップとを特徴とする。
【００２９】
本発明による方法は、超音波によって懸濁液に作用することなく、機械的に作用するキャビテーション要素のみに基づいて実施される。このキャビテーション要素の表面において、内破する小さな空洞が液体中に形成される。この内破過程によって、液体内に存在する固体粒子が、大きさをさらに減らされる。これは、粒子の大きさの減少が、粒子がキャビテーション要素に衝突することによって（のみ）生じるのではなく、キャビテーション要素の表面における夥しい数の内破に際して放出されるエネルギーによって生じることを意味する。
【００３０】
ガスが懸濁液に導入され、さらに、超音波なしに、発生したキャビテーションによって懸濁液中に溶解されると、同時にキャビテーションは減少する。液相中のガスの溶解は、懸濁液にとって利点を有し得、適宜、望ましい化学作用をもたらし得る。その一例が、廃水処理である。
【００３１】
本発明による方法は、塗料の顔料がその場合に特に細かく分散されるので、液体塗料、特にラッカの製造に特別な利点をもたらす。本方法は、有利には、紙のコーティング用懸濁液（たとえばホワイティング（whiting））の処理、および廃水の処理にさらに用いることができる。廃水処理に関し、細菌が、特に排水中の固体粒子の陰で生き残り易いことを付け加えるべきである。したがって、ＵＶ光線による処理は、単なる補完的な処置と見なすべきである。しかし、本発明によって教示されるように、固体粒子の大きさがさらに一層減らされれば、細菌処理は著しくより効果的になる。細菌を死滅させるために、液体内へのガスの同時溶解を使用することができる。
【００３２】
本発明のさらに別の特徴および利点が、以下の説明および参照される添付図面から明らかになる。
【図面の簡単な説明】
【００３３】
【図１】本発明による方法を実施するための本発明による装置の側面図である。
【図２】図１の装置の上視部分断面図である。
【図３】やはり本発明による方法を実施するために使用することができる代替実施形態による、本発明による装置の上視部分断面図である。
【図４】本発明による装置の機械的キャビテーション要素の上視図である。
【図５】図４の断面線Ａ−Ａに沿った断面図である。
【図６】図４の断面線Ｂ−Ｂに沿った断面図である。
【図７】図４の断面線Ｃ−Ｃに沿った断面図である。
【図８】図４の断面線Ｄ−Ｄに沿った断面図である。
【発明を実施するための形態】
【００３４】
図１および２は、液体にガスを充填することによって液体を処理する、本発明による装置を示す。以下の説明では、下側、上側などの表現は理解を容易にするために使用されている。これら表現は、図１に示された装置の向きに対する。しかし、装置は、基本的に、横にして配置されても作動することができる。
【００３５】
そのような装置の基本的な構造および基本的な作動モードは、特に国際公開第２００８／０８０６１８Ａ１号から、当業者には知られており、したがって、本発明による装置の特別な特徴のみがここでは主として説明される。
【００３６】
液体を受け入れるチャンバ１２が、装置のハウジング１０内に設けられ、ハウジングは金属またはプラスチックから形成することができる。入口１４および出口１６がチャンバ１２内に開口し、それによって、液体が、チャンバ１２を通って連続的に流れることができる。軸線方向Ａでは、入口１４と出口１６とは、互いに偏倚して配置され、半径方向ｒでは、それらは、直径上に対向して（１８０度の角度）配置されている。
【００３７】
図３は、入口１４と出口１６とが互いに１２０度の角度で配置されている、装置の代替実施形態を示す。
【００３８】
チャンバ１２内の中心には、回転するように装着され、実質的に円盤形の流れ物体の形態である機械的キャビテーション要素１８が配置されている。キャビテーション要素１８は、駆動シャフト２０を用いて連続的に制御可能なモータ２２に連結され、そのモータは、キャビテーション要素１８の速度を決定する。
【００３９】
ガス供給源に接続されたガス供給手段の一部であるガス供給パイプ２４が、駆動シャフト２０の隣に配置され、駆動シャフトと平行にチャンバ１２内に開口する。ガス供給パイプ２４の口は、軸線方向に、キャビテーション要素１８の上面に向いている。
【００４０】
９０度曲がり、それらに接続された音響パワートランスデューサ３０、３２をそれぞれが有する２つの短い接続ピース２６、２８が、半径方向に延在する入口１４および出口１６上に配置されている。両方の音響パワートランスデューサ３０、３２は、超音波範囲、または好ましくはより低い周波数範囲で作動する音響発生器の形態である。
【００４１】
図２および３から明らかなように、両方の実施形態とも、チャンバ１２は特別な形状を有する。チャンバ１２は、キャビテーション要素１８の領域（キャビテーション要素１８を取り巻くチャンバ１２の部分に対応する）で、円形から外れる非回転対称断面（軸線方向Ａに垂直な半径方向断面）を有する。
【００４２】
図示の実施形態では、チャンバ１２の断面は、「丸い３角形」と呼ばれることもある３葉形を有する。真の３角形とは異なり、角が丸く（小さい丸み３４）、諸辺が外側に湾曲（大きい丸み３６）している。３葉形は、基本形状が３角形によるにも拘らず、大きい丸み３４と小さい丸み３６とが常に互いに直接対向するので、転動径（rolling diameter）Ｄが常に同じになることを特徴とする。
【００４３】
３角形の基本形状ではなくて、４つ以上の角を有する（特に、４つまたは５つの角を有する）基本形状を用いることもでき、その場合、角は丸められ、諸辺は外側に湾曲（凸状）している。それらとは異なる極めて著しい丸みを有する他の変則的な基本形状も可能である。３角形の基本形状は円形から最も大きい逸脱を示すが、湾曲は類似しており、その形状は、さらに以下に述べるように、キャビテーション効果から見て望ましい。
【００４４】
図４では、チャンバ１２内で回転するように配置されるキャビテーション要素１８が、単独に示されている。キャビテーション要素１８は、実質的に、鋭角の円形外周縁部４２で合体する対向凸面３８、４０を有する円盤（両凸状の円板）の形状を有する。２つの面３８、４０の曲率は互いに異なり得る。
【００４５】
キャビテーション要素１８は、上面３８からキャビテーション要素１８を完全に貫通して下面４０まで延在する複数の通路開口４４を有する。通路開口４４は、上面３８および下面４０それぞれの上の細長い孔のような長円形の縁部４６および４８を有する。ただし、上視図において、上面３８の縁部４６は、下面の関連する縁部４８と一致せず、詳細には、上面の縁部４６と下面の縁部４８それぞれの長手方向の範囲が寸法上異なり、かつ／または偏倚している。したがって、上面の縁部４６の外周は、関連する下面の縁部４８より大きくもしくは小さく、または同じ寸法であり得る。
【００４６】
図５〜８の断面図から明らかなように、通路開口４４の内壁は真直ぐではなく、丸みを帯びている。これは、１つには、内壁が湾曲した形状を有し、他方、縁部４６、４８は別として、内壁が陵または角部を有しないことを意味する。ある場合には、丸みは、少なくとも断面図では、下面近くの領域よりも上面３８近くの領域でより顕著であり、ある場合には、別様の丸みである。
【００４７】
さらに、通路開口４４の直径が、丸みを帯びた部分にも拘らず、軸線方向高さを通して５０％未満、好ましくは３０％未満しか変化しないことが通路開口４４の特徴である。図示の例示的実施形態では、その直径の変化は明らかに２０％未満である。
【００４８】
さらに、各通路開口４４は、その中心が、その長手方向中心軸線（断面線Ａ−Ａ、Ｂ−Ｂ、Ｃ−Ｃ、およびＤ−Ｄそれぞれ）が該軸線に垂直なキャビテーション要素１８の半径線Ｒと交わる点に対して、長手方向中心軸線の方向に偏倚するように配置されている。
【００４９】
装置を使用して液体にガスを充填する際、液体は、好ましくはチャンバ１２が完全に液体で満たされるように、チャンバ１２を通って流れる。モータ２２が、液体中に完全に浸漬されたキャビテーション要素１８を、液体中にキャビテーションが生じるような速さで回転させる。
【００５０】
これに関して、３葉形断面（または上記の同様な断面）を有するチャンバ１２の特別な形状、およびキャビテーション要素１８の特別な形状が、キャビテーション効果の増進を実現する。
【００５１】
異なる丸み３４、３６を有するチャンバ１２の断面形状に依って、キャビテーション要素１８の回転が、キャビテーション効果に至らない望ましくない完全に回転循環流状態で液体を運動させることはない。ただし、角部は鋭くなく、丸みを帯びているので、少量の液体交換しか行われない「死水」点が、チャンバ１２の角部に形成されることはない。チャンバ１２の形状は、また、確実に、可能な限り少ない定常波しかチャンバ１２内に生じさせない。
【００５２】
キャビテーション要素１８内の丸みを帯びた通路開口４４に基づいて、キャビテーション要素１８の外周縁部の領域のみではなく、通路開口４４の領域にも極めて高い流速が発生し、その結果、まさにこれらの個所に、極めて高いキャビテーション効果が生じる。一方で、通路開口４４はまた、特にキャビテーション要素１８が高速のときに、液体の望ましくない剥離を効果的に防止する。
【００５３】
異なる丸み３４、３６を有するチャンバ断面の特別な形状、およびキャビテーション要素１８の通路開口４４の特別な形状に依って、液体へのキャビテーション要素１８の望ましくないポンプ作用が全般的に回避される。
【００５４】
ガスは、ガス供給ライン２４の中を軸線方向Ａにキャビテーション要素１８の上面上へ導かれる。ガスは、液体状態、たとえば液体酸素の状態でシステム内に供給することもできるが、ガス供給ライン２４を通過するときには、ガスは、既に気体状態で存在することが好ましい。
【００５５】
高いキャビテーション効果に基づいて、導かれたガスは、実質的に完全に液体中に取り込まれる。１５℃の温度を有する井戸水に導入されるガスの量は、たとえば酸素で２８５ｇ／ｈに達し得る。
【００５６】
チャンバ１２全体が、同時に、音響パワートランスデューサ３０、３２の音波によって満たされ、その結果、キャビテーション要素１８によって発生したバブルが、直ちに音響エネルギーによる作用をさらに受け、その過程で大きさが減らされる。
【００５７】
要するに、特別な形状をしたチャンバ１２内の特別な形状をしたキャビテーション要素１８の助けによるキャビテーション、および比較的低周波数領域での発生バブルの追加音響処理の結果、ナノメートル領域の平均バブルサイズが効率的に得られ、オングストローム領域のバブルが大きな割合で生成される。これにより、導入されたガスの大部分が、液体中に分子状態で分散して溶解されることになる。したがって、取り込まれたガスの全体が、比較的長い期間に亘って液体中に残留することになる。
【００５８】
本発明が、好ましい実施形態を参照して説明されてきた。変更および追加は、それにより本発明の理念から逸脱することなく、当然、当業者が自由に行うことができる。
【００５９】
前述の装置は、懸濁液内に存在する微小粒子の大きさをさらに減らすことができるので、懸濁液を極めて効果的に処理することができる。その方法は、以下のステップを含む。すなわち、回転式キャビテーション要素１８が装入されているチャンバ１２に、処理すべき分散液を導入するステップと、液体を超音波によって処理することなく、キャビテーションが発生するまでキャビテーション要素１８を回転させるステップと、キャビテーションによって液体中の粒子の大きさを減らすステップとである。この方法では、チャンバ１２内でさらに加えて超音波処理は行わない。懸濁液は、また、それをチャンバ１２に導入する前、またはそれをチャンバ１２から取り出した後も、超音波による処理は行われない。
【００６０】
本方法は、懸濁液を超音波に曝すことなく、機械的に働くキャビテーション要素１８のみによって実施される。内破する液体中の小さな空洞がこのキャビテーション要素１８の表面に生じる。この内破によって、液体内に存在する固体粒子が、大きさをさらに減らされる。
【００６１】
あるいは、ガスを、懸濁液中にさらに導入し、やはり、超音波なしの態様で、発生したキャビテーションによって懸濁液中に溶解することができる。液相中のガスの溶解は、懸濁液にとって利点を有し得、適宜、望ましい化学作用をもたらし得る。その一例が、廃水処理である。
【００６２】
本方法は、塗料の顔料がその場合に特に細かく分散されるので、液体塗料、特にラッカの製造に使用することができる。
【００６３】
さらに、本方法は、紙の製造に有利に用いられる。本方法では、紙のコーティング用懸濁液（たとえばホワイティング）中の固体粒子を液体中に特に十分に分散させ、大きさを減らすことができる。このように処理された懸濁液が、ドクタブレードによってペーパウェブ上に塗布され、滑らかな紙面を形成する。
【００６４】
廃水の処理では、本方法を使用すると、固体粒子の大きさがさらに一層減少し、その結果、細菌の処理が著しくより効果的になる。細菌を死滅させるために、液体内へのガスの同時溶解を使用することができる。
【図１】
2013545594.tif 000003
【図２】
2013545594.tif 000004
【図３】
2013545594.tif 000005
【図４】
2013545594.tif 000006
【図５】
2013545594.tif 000007
【図６】
2013545594.tif 000008
【図７】
2013545594.tif 000009
【図８】
2013545594.tif 000010
【国際調査報告】
2013545594.tif 000011
2013545594.tif 000012
2013545594.tif 000013
2013545594.tif 000014